(57)【特許請求の範囲】
【請求項１】
被印字媒体を搬送する搬送手段と、
前記搬送手段により搬送される前記被印字媒体に対し、印字を形成する印字手段と、
を有し、
印字形成後の前記被印字媒体により印字ラベルを作成する印字ラベル作成装置であって、
前記印字ラベルに対し印字形成されるテキスト文字を操作者が操作入力するための第１操作手段と、
操作者が印字ラベルの作成開始指示を行うための第２操作手段と、
前記印字ラベルに形成される前記テキスト文字に適用するために予め用意された、複数種類の装飾スタイルを記憶した第１記憶手段と、
前記印字ラベルにおいて前記テキスト文字を包囲するために予め用意された、複数種類の枠を記憶した第２記憶手段と、
前記印字ラベルにおいて前記テキスト文字とともに形成するために予め用意された、複数種類のシンボルを記憶した第３記憶手段と、
前記第１記憶手段に記憶された前記複数種類の装飾スタイルの中から１種類以上の装飾スタイルをランダムに設定する第１装飾設定手段、前記第２記憶手段に記憶された前記複数種類の枠の中から１種類の枠をランダムに設定する第２装飾設定手段、及び、前記第３記憶手段に記憶された前記複数種類のシンボルの中から１種類のシンボルをランダムに設定する第３装飾設定手段、のうち少なくとも１つの装飾設定手段と、
前記第２操作手段の操作があったことを契機に、前記第１装飾設定手段によりランダムに設定された前記１種類以上の装飾スタイル、前記第２装飾設定手段によりランダムに設定された前記１種類の枠、及び、前記第３装飾設定手段によりランダムに設定された前記１種類のシンボル、のうちの少なくとも１つ以上を含めて、第１印字データを生成する第１印字データ生成手段と、
前記第１印字データに対応した印字が形成された前記印字ラベルを作成するように、前記搬送手段及び前記印字手段を連携して制御する第１連携制御手段と、
前記第１連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、
を有することを特徴とする印字ラベル作成装置。
【請求項２】
被印字媒体を搬送する搬送手段と、
前記搬送手段により搬送される前記被印字媒体に対し、印字を形成する印字手段と、
を有し、
印字形成後の前記被印字媒体により印字ラベルを作成する印字ラベル作成装置であって、
前記印字ラベルに対し印字形成されるテキスト文字を操作者が操作入力するための第１操作手段と、
操作者が印字ラベルの作成開始指示を行うための第２操作手段と、
前記印字ラベルに形成される前記テキスト文字に適用するために予め用意された、複数種類の装飾スタイルを記憶した第１記憶手段と、
前記印字ラベルにおいて前記テキスト文字を包囲するために予め用意された、複数種類の枠を記憶した第２記憶手段と、
前記印字ラベルにおいて前記テキスト文字とともに形成するために予め用意された複数種類のシンボルを、前記印字ラベルに関して予め定められる複数のカテゴリ別にそれぞれ分けて記憶した第４記憶手段と、
前記第１記憶手段に記憶された前記複数種類の装飾スタイルの中から１種類以上の装飾スタイルをランダムに設定する第１装飾設定手段、前記第２記憶手段に記憶された前記複数種類の枠の中から１種類の枠をランダムに設定する第２装飾設定手段、及び、第３操作手段を介して操作者により前記複数のカテゴリから選択された１つの前記カテゴリ、若しくは、前記第１操作手段を介して操作入力された前記テキスト文字に基づき前記複数のカテゴリから特定された１つの前記カテゴリに対応する、前記第４記憶手段に記憶された複数種類のシンボルの中から１種類のシンボルをランダムに設定する第４装飾設定手段、のうち少なくとも１つの装飾設定手段と、
前記第２操作手段の操作があったことを契機に、前記第１装飾設定手段によりランダムに設定された前記１種類以上の装飾スタイル、前記第２装飾設定手段によりランダムに設定された前記１種類の枠、前記第４装飾設定手段によりランダムに設定された前記１種類のシンボル、のうちの少なくとも１つ以上を含めて、第２印字データを生成する第２印字データ生成手段と、
前記第２印字データに対応した印字が形成された前記印字ラベルを作成するように、前記搬送手段及び前記印字手段を連携して制御する第２連携制御手段と、
前記第２連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、
を有することを特徴とする印字ラベル作成装置。
【請求項３】
被印字媒体を搬送する搬送手段と、
前記搬送手段により搬送される前記被印字媒体に対し、印字を形成する印字手段と、
を有し、
印字形成後の前記被印字媒体により印字ラベルを作成する印字ラベル作成装置であって、
前記印字ラベルに対し印字形成されるテキスト文字を操作者が操作入力するための第１操作手段と、
操作者が印字ラベルの作成開始指示を行うための第２操作手段と、
前記印字ラベルに関して予め定められる複数のカテゴリのうち１つのカテゴリを操作者が選択入力するための第３操作手段と、
前記印字ラベルに形成される前記テキスト文字に適用するために予め用意された特定の装飾スタイル、前記印字ラベルにおいて前記テキスト文字を包囲するために予め用意された特定の１種類の枠、及び、前記印字ラベルにおいて前記テキスト文字とともに形成するために予め用意された特定の１種類のシンボル、からなる組合せを、前記複数のカテゴリのそれぞれに個別に対応付けて複数組記憶した第５記憶手段と、
前記第５記憶手段に記憶された複数組の前記組合せの中から、前記第３操作手段により選択された１つの前記カテゴリに対応する１組を設定する第５装飾設定手段と、
前記第２操作手段の操作があったことを契機に、前記第５装飾設定手段により設定された１組に対応した、前記特定の装飾スタイル、前記特定の１種類の枠、及び前記特定の１種類のシンボル、を組み合わせて、第３印字データを生成する第３印字データ生成手段と、
前記第３印字データに対応した印字が形成された前記印字ラベルを作成するように、前記搬送手段及び前記印字手段を連携して制御する第３連携制御手段と、
前記第３連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、
を有することを特徴とする印字ラベル作成装置。
【発明の詳細な説明】
【技術分野】
【０００１】
本発明は、印字ラベルを作成する印字ラベル作成装置に関する。
【背景技術】
【０００２】
近年の多種多様なユーザのニーズに対応し、印字ラベルを作成する印字ラベル作成装置には豊富な機能が盛り込まれている（例えば、特許文献１参照）。この従来技術では、例えば、ユーザは、印字ラベルに表したいテキスト文字を入力した後、そのテキストの周囲を囲むためのラベル枠や、文字に対する各種の修飾（ボールド、イタリック、アンダーライン、影付き等）を行うことで、多種多様な印字ラベルを作成することが可能である。
【先行技術文献】
【特許文献】
【０００３】
【特許文献１】特開２０１１−２５１４５６号公報
【発明の概要】
【発明が解決しようとする課題】
【０００４】
上記従来技術には以下の課題が存在する。すなわち、上述のように印字ラベル作成装置に豊富な機能が用意されていた場合、上級者のユーザであれば必要に応じて複雑な操作を行うことでそれらの機能を上手に活用し、多種多様な所望の印字ラベルを作成することができる。しかしながら、初心者ユーザにとってはそのような複雑な操作を行うことは面倒である。この結果、印字ラベル作成装置に豊富な機能があったとしてもその機能を活用することができず（あるいは機能があることすら知らず）、装飾を施した印字ラベルを容易かつ手軽に作成し楽しむことは困難であった。
【０００５】
本発明の目的は、初心者ユーザであっても、装飾を施した印字ラベルを容易かつ手軽に作成し楽しむことができる、印字ラベル作成装置を提供することにある。
【課題を解決するための手段】
【０００６】
上記目的を達成するために、本願第１発明は、被印字媒体を搬送する搬送手段と、前記搬送手段により搬送される前記被印字媒体に対し、印字を形成する印字手段と、を有し、印字形成後の前記被印字媒体により印字ラベルを作成する印字ラベル作成装置であって、前記印字ラベルに対し印字形成されるテキスト文字を操作者が操作入力するための第１操作手段と、操作者が印字ラベルの作成開始指示を行うための第２操作手段と、前記印字ラベルに形成される前記テキスト文字に適用するために予め用意された、複数種類の装飾スタイルを記憶した第１記憶手段と、前記印字ラベルにおいて前記テキスト文字を包囲するために予め用意された、複数種類の枠を記憶した第２記憶手段と、前記印字ラベルにおいて前記テキスト文字とともに形成するために予め用意された、複数種類のシンボルを記憶した第３記憶手段と、前記第１記憶手段に記憶された前記複数種類の装飾スタイルの中から１種類以上の装飾スタイルをランダムに設定する第１装飾設定手段、前記第２記憶手段に記憶された前記複数種類の枠の中から１種類の枠をランダムに設定する第２装飾設定手段、及び、前記第３記憶手段に記憶された前記複数種類のシンボルの中から１種類のシンボルをランダムに設定する第３装飾設定手段、のうち少なくとも１つの装飾設定手段と、前記第２操作手段の操作があったことを契機に、前記第１装飾設定手段によりランダムに設定された前記１種類以上の装飾スタイル、前記第２装飾設定手段によりランダムに設定された前記１種類の枠、及び、前記第３装飾設定手段によりランダムに設定された前記１種類のシンボル、のうちの少なくとも１つ以上を含めて、第１印字データを生成する第１印字データ生成手段と、前記第１印字データに対応した印字が形成された前記印字ラベルを作成するように、前記搬送手段及び前記印字手段を連携して制御する第１連携制御手段と、前記第１連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、を有することを特徴とする。
【０００７】
本願第１発明の印字ラベル作成装置においては、操作者が意図する所望のテキスト文字を表記する印字ラベルの作成時において、当該テキスト文字の装飾スタイル、当該テキスト文字を包囲する枠、当該テキスト文字とともに付加形成するシンボル、をテキスト文字に対する修飾として種々設定することができる。すなわち、第１記憶手段には複数種類の上記装飾スタイルが記憶されており、第２記憶手段には複数種類の上記枠が記憶されており、第３記憶手段には複数種類の上記シンボルが記憶されている。そして、第１操作手段を用いて操作者が上記テキスト文字を入力した後、第２操作手段を用いて印字ラベルの作成開始指示を行うと、第１装飾設定手段による上記複数種類から１種類以上の装飾スタイルのランダムな設定、第２装飾設定手段による上記複数種類から１種類の枠のランダムな設定、及び、第３装飾設定手段による上記複数種類から１種類のシンボルのランダムな設定、の少なくとも１つが実行される。そして、それら設定された１種類以上の装飾スタイル、枠、シンボル等を用いて第１印字データ生成手段が生成した第１印字データに基づき、第１連携制御手段の制御によって、対応する印字ラベルが作成される。
【０００８】
以上の結果、操作者がテキスト文字の入力操作と、作成開始指示操作と、をするだけで、装飾スタイルや枠やシンボルの修飾を施した印字ラベルを容易かつ手軽に作成することができる。したがって、例えば現状は上記２つの操作しか行っていないような初心者ユーザであっても、上記のような印字ラベルに対する修飾を楽しむことができる。この結果、当該初心者ユーザに対し、当該印字ラベル作成装置が上記修飾付加機能を備えていることを認識させるとともに、上記修飾付加に対する初心者ユーザの興味を引き起こすことができる。また、上述のようにして組み合わせ可能な１種類以上の装飾スタイル、枠、シンボルは、複数種類の中からそれぞれアトランダムに選択されたものであるので、操作者が上記の操作をするたびに、異なった印字面態様の印字ラベルが作成される。これによっても、上記修飾付加に対する初心者ユーザの興味をさらに引き起こすことができる。
【０００９】
上記目的を達成するために、本願第２発明は、被印字媒体を搬送する搬送手段と、前記搬送手段により搬送される前記被印字媒体に対し、印字を形成する印字手段と、を有し、印字形成後の前記被印字媒体により印字ラベルを作成する印字ラベル作成装置であって、前記印字ラベルに対し印字形成されるテキスト文字を操作者が操作入力するための第１操作手段と、操作者が印字ラベルの作成開始指示を行うための第２操作手段と、前記印字ラベルに形成される前記テキスト文字に適用するために予め用意された、複数種類の装飾スタイルを記憶した第１記憶手段と、前記印字ラベルにおいて前記テキスト文字を包囲するために予め用意された、複数種類の枠を記憶した第２記憶手段と、前記印字ラベルにおいて前記テキスト文字とともに形成するために予め用意された複数種類のシンボルを、前記印字ラベルに関して予め定められる複数のカテゴリ別にそれぞれ分けて記憶した第４記憶手段と、前記第１記憶手段に記憶された前記複数種類の装飾スタイルの中から１種類以上の装飾スタイルをランダムに設定する第１装飾設定手段、前記第２記憶手段に記憶された前記複数種類の枠の中から１種類の枠をランダムに設定する第２装飾設定手段、及び、第３操作手段を介して操作者により前記複数のカテゴリから選択された１つの前記カテゴリ、若しくは、前記第１操作手段を介して操作入力された前記テキスト文字に基づき前記複数のカテゴリから特定された１つの前記カテゴリに対応する、前記第４記憶手段に記憶された複数種類のシンボルの中から１種類のシンボルをランダムに設定する第４装飾設定手段、のうち少なくとも１つの装飾設定手段と、前記第２操作手段の操作があったことを契機に、前記第１装飾設定手段によりランダムに設定された前記１種類以上の装飾スタイル、前記第２装飾設定手段によりランダムに設定された前記１種類の枠、前記第４装飾設定手段によりランダムに設定された前記１種類のシンボル、のうちの少なくとも１つ以上を含めて、第２印字データを生成する第２印字データ生成手段と、前記第２印字データに対応した印字が形成された前記印字ラベルを作成するように、前記搬送手段及び前記印字手段を連携して制御する第２連携制御手段と、前記第２連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、を有することを特徴とする。
【００１０】
本願第２発明の印字ラベル作成装置においては、操作者が意図する所望のテキスト文字を表記する印字ラベルの作成時において、当該テキスト文字の装飾スタイル、当該テキスト文字を包囲する枠、当該テキスト文字とともに付加形成するシンボル、をテキスト文字に対する修飾として種々設定することができる。すなわち、第１記憶手段には複数種類の上記装飾スタイルが記憶されており、第２記憶手段には複数種類の上記枠が記憶されている。また、第４記憶手段には複数種類の上記シンボルが、予め設定された複数のカテゴリそれぞれごとに分類されている。
【００１１】
そして、第１操作手段を用いて操作者が上記テキスト文字を入力した後、第２操作手段を用いて印字ラベルの作成開始指示を行うと、第１装飾設定手段による上記複数種類から１種類以上の装飾スタイルのランダムな設定、第２装飾設定手段による上記複数種類から１種類の枠のランダムな設定、及び、第４装飾設定手段による複数種類の中から１種類のシンボルのランダムな設定、のうち少なくとも１つが実行される。なお、第４装飾設定手段の設定は、上記入力されたテキスト文字から例えば予め設定された特定の相関によって対応付けられた特定の１つのカテゴリ、あるいは第３操作手段を用いて操作者が選択した１つのカテゴリ、に対応する、１種類のシンボルをランダムに設定するものである。そして、それら設定された１種類以上の装飾スタイル、枠、シンボルを用いて第２印字データ生成手段が生成した第２印字データに基づき、第２連携制御手段の制御によって、対応する印字ラベルが作成される。
【００１２】
以上の結果、操作者がテキスト文字の入力操作と、作成開始指示操作と、をするだけで（あるいはさらにカテゴリ選択操作を追加するだけで）、装飾スタイルや枠やシンボルの修飾を施した印字ラベルを容易かつ手軽に作成することができる。したがって、例えば現状は上記テキスト文字入力操作や作成開始指示操作しか行っていないような初心者ユーザであっても、上記のような印字ラベルに対する修飾を楽しむことができる。この結果、当該初心者ユーザに対し、当該印字ラベル作成装置が上記修飾付加機能を備えていることを認識させるとともに、上記修飾付加に対する初心者ユーザの興味を引き起こすことができる。また、上述のようにして組み合わせられる１種類以上の装飾スタイル、枠、シンボルは、複数種類の中からそれぞれアトランダムに選択されたものであるので、操作者が上記の操作をするたびに、異なった印字面態様の印字ラベルが作成される。これによっても、上記修飾付加に対する初心者ユーザの興味をさらに引き起こすことができる。
【００１３】
上記目的を達成するために、本願第３発明は、被印字媒体を搬送する搬送手段と、前記搬送手段により搬送される前記被印字媒体に対し、印字を形成する印字手段と、を有し、印字形成後の前記被印字媒体により印字ラベルを作成する印字ラベル作成装置であって、前記印字ラベルに対し印字形成されるテキスト文字を操作者が操作入力するための第１操作手段と、操作者が印字ラベルの作成開始指示を行うための第２操作手段と、前記印字ラベルに関して予め定められる複数のカテゴリのうち１つのカテゴリを操作者が選択入力するための第３操作手段と、前記印字ラベルに形成される前記テキスト文字に適用するために予め用意された特定の装飾スタイル、前記印字ラベルにおいて前記テキスト文字を包囲するために予め用意された特定の１種類の枠、及び、前記印字ラベルにおいて前記テキスト文字とともに形成するために予め用意された特定の１種類のシンボル、からなる組合せを、前記複数のカテゴリのそれぞれに個別に対応付けて複数組記憶した第５記憶手段と、前記第５記憶手段に記憶された複数組の前記組合せの中から、前記第３操作手段により選択された１つの前記カテゴリに対応する１組を設定する第５装飾設定手段と、前記第２操作手段の操作があったことを契機に、前記第５装飾設定手段により設定された１組に対応した、前記特定の装飾スタイル、前記特定の１種類の枠、及び前記特定の１種類のシンボル、を組み合わせて、第３印字データを生成する第３印字データ生成手段と、前記第３印字データに対応した印字が形成された前記印字ラベルを作成するように、前記搬送手段及び前記印字手段を連携して制御する第３連携制御手段と、前記第３連携制御手段の制御に基づき前記印字ラベルが作成された後、当該印字ラベルに適用された装飾スタイル、枠、及びシンボルをマニュアル操作で設定するための操作方法が印字形成された別の印字ラベルを作成するように、前記搬送手段及び前記印字手段を連携して制御する第４連携制御手段と、を有することを特徴とする。
【００１４】
本願第３発明の印字ラベル作成装置においては、操作者が意図する所望のテキスト文字を表記する印字ラベルの作成時において、当該テキスト文字の装飾スタイル、当該テキスト文字を包囲する枠、当該テキスト文字とともに付加形成するシンボル、をテキスト文字に対する修飾として種々設定することができる。その際、複数種類の上記装飾スタイル、複数種類の上記枠、複数種類の上記シンボルが用意されるとともに、予め、それらのうち特定の装飾スタイルと特定の１種類の枠と特定の１種類のシンボルとからなる組合せが、複数組設定されている。そして、各組の組合せは、予め設定された複数のカテゴリそれぞれに対応付けられて第５記憶手段に記憶されている。
【００１５】
操作者は、第１操作手段を用いて上記テキスト文字を入力するとともに第３操作手段を用いて上記カテゴリを選択入力した後、第２操作手段を用いて印字ラベルの作成開始指示を行う。すると、第５装飾設定手段によって、上記複数組の組合せから当該選択入力されたカテゴリに対応する１組が設定される。そして、設定された１組に対応した、特定の装飾スタイル、特定の枠、特定のシンボルを用いて第３印字データ生成手段が生成した第３印字データに基づき、第３連携制御手段の制御によって、対応する印字ラベルが作成される。
【００１６】
以上の結果、操作者がテキスト文字の入力操作と、カテゴリ選択操作と、作成開始指示操作と、をするだけで、装飾スタイルや枠やシンボルの修飾を施した印字ラベルを容易かつ手軽に作成することができる。したがって、例えば現状は上記テキスト文字入力操作や作成開始指示操作しか行っていないような初心者ユーザであっても、上記のような印字ラベルに対する修飾を楽しむことができる。この結果、当該初心者ユーザに対し、当該印字ラベル作成装置が上記修飾付加機能を備えていることを認識させるとともに、上記修飾付加に対する初心者ユーザの興味を引き起こすことができる。また、上述のようにして組み合わせられる装飾スタイル、枠、シンボルの１つの組は、各カテゴリごとに１組ずつ対応付けられるものであり、操作者が別のカテゴリを選択すると、異なった印字面態様の印字ラベルが作成される。これによっても、上記修飾付加に対する初心者ユーザの興味をさらに引き起こすことができる。
【発明の効果】
【００１７】
本発明によれば、初心者ユーザであっても、装飾を施した印字ラベルを容易かつ手軽に作成し楽しむことができる。
【図面の簡単な説明】
【００１８】
【図１】本発明の第１実施形態の印字ラベル作成装置を斜め上方向から見た外観を表す斜視図である。
【図２】下カバーを開放した状態の印字ラベル作成装置を斜め下方向から見た外観を表す斜視図である。
【図３】カートリッジの内部構造を模式的に表す拡大平面である。
【図４】印字ラベル作成装置の制御系を表す機能ブロック図である。
【図５】１枚の印字ラベルを作成するときの装飾スタイル、枠、シンボルそれぞれのランダム設定の一例を説明する説明図である。
【図６】ＣＰＵによって実行される制御手順を表すフローチャートである。
【図７】本発明の第２実施形態における、１枚の印字ラベルを作成するときの装飾スタイル、枠、シンボルそれぞれのランダム設定の一例を説明する説明図である。
【図８】ＲＯＭの機能ブロック図である。
【図９】ＣＰＵによって実行される制御手順を表すフローチャートである。
【図１０】本発明の第３実施形態における、１枚の印字ラベルを作成するときの装飾スタイル、枠、シンボルの組合せのランダム設定の一例を説明する説明図である。
【図１１】ＲＯＭの機能ブロック図である。
【図１２】ＣＰＵによって実行される制御手順を表すフローチャートである。
【図１３】本発明の第４実施形態における、ラベル作成方法のガイダンスラベルを作成する一例を表す説明図である。
【図１４】ＣＰＵによって実行される制御手順を表すフローチャートである。
【発明を実施するための形態】
【００１９】
以下、本発明の実施形態を図面を参照しつつ説明する。
【００２０】
＜第１実施形態＞
まず、本発明の第１実施形態を図１〜図６により説明する。本実施形態の印字ラベル作成装置１は、所望の印字を行った印字済みラベル用テープを所定の長さに切断することにより、印刷物としての印字ラベルＬを作成する。この印字ラベル作成装置１の概略構成について図１を用いて説明する。なお、本実施形態において印字ラベル作成装置１の前・後・左・右・上・下というときは、図１及び図２等に示す方向を指す。
【００２１】
＜全体概略構成＞
図１及び図２に示すように、印字ラベル作成装置１の筐体２は、装置下面を構成する下カバー１５と、装置側面を構成する横カバー１６と、装置上面を構成する上カバー１７とにより構成されている。上カバー１７には、前方向から後方向に向けて、文字入力等の種々の操作が行われるキーボード３（第１操作手段）、印字ラベル作成装置１の各種機能を実行させるための機能キー群４、及び、入力した文字や記号等を表示するための液晶ディスプレイ５が設けられている。機能キー群４には、この例では、ドレッサーキー４Ａ、電源スイッチ４Ｂ、印刷キー４Ｃ等が含まれている。また横カバー１６の右側後方には、印刷された印刷済ラベル用テープ１０９（図３参照）をカットするためのカッターレバー７が設けられている。
【００２２】
印字ラベル作成装置１の下側後方には、カートリッジ８を着脱可能なカートリッジホルダ９が設けられている。このカートリッジホルダ９は、印字ラベル作成装置１の前端部を回転軸として開閉可能に構成された上記下カバー１５を閉じると覆われ、下カバー１５を開放すると露出する。
【００２３】
また、図２に示すように、印字ラベル作成装置１の下側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００２４】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅であり、本実施形態の被印刷物を構成する透明なカバーフィルム１０３（被印字媒体）が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のリボン１０５を巻取るリボン巻取りローラ１０６と、カートリッジ７のテープ排出部の近傍に回転可能に支持されたテープ送りローラ２７とを有する。
【００２５】
テープ送りローラ２７は、上記基材テープ１０１と上記カバーフィルム１０３とを押圧し接着させ上記印字済みラベル用テープ１０９としつつ、図３中矢印Ａで示す方向にテープ送りを行う（圧着ローラとしても機能する）。
【００２６】
第１ロール１０２は、リール部材１０２ａの周りに上記基材テープ１０１を巻回している。基材テープ１０１はこの例では４層構造となっており、詳細な図示を省略するが、内側に巻かれる側よりその反対側へ向かって、適宜の粘着剤からなる貼り合わせ用粘着層、ＰＥＴ（ポリエチレンテレフタラート）等から成る色付きのベースフィルム、適宜の粘着剤からなる貼り付け用粘着層、剥離紙の順序で積層され構成されている。
【００２７】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段）に押圧されて当接させられる。
【００２８】
このとき、上記のカートリッジ８の構成に対応して、カートリッジホルダ９には、上記使用済みのインクリボン１０５を巻き取るためのリボン巻き取り軸１０７と、印字済みラベル用テープ１０９を搬送するための上記テープ送りローラ２７を駆動するためのテープ送りローラ駆動軸１０８（搬送手段）とが設けられている。またカートリッジホルダ９には、カバーフィルム１０３に所望の印刷を行う上記サーマルヘッド２３が、カートリッジ８の装着時にその上記開口部１４に位置するように設けられている。
【００２９】
リボン巻取りローラ１０６及びテープ送りローラ２７は、カートリッジ７外に設けた例えばパルスモータである駆動モータ２１１（後述の図４参照）の駆動力が、図示しないギヤ機構を介し上記リボン巻取りローラ駆動軸１０７及び上記テープ送りローラ駆動軸１０８に伝達されることによって、互いに連動し回転駆動される。
【００３０】
上記構成において、カートリッジ７が上記カートリッジホルダ６に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けたプラテンローラ２６との間に狭持される。これとともに、基材テープ１０１及びカバーフィルム１０３が、テープ送りローラ２７と、テープ送りローラ２７に対向して設けた圧着ローラ２８との間に狭持される。そして、上記駆動モータの駆動力によってリボン巻取りローラ１０６及びテープ送りローラ２７が図３中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。
【００３１】
一方、第２ロール１０４からはカバーフィルム１０３が繰り出されるとともに、サーマルヘッド制御回路２１７（後述の図４参照）によりサーマルヘッド２３に設けられた複数の発熱素子が通電され、発熱する。このとき、カバーフィルム１０３の裏面側（すなわち上記基材テープと接着される側）には、リボン巻取りローラ１０６により駆動されるインクリボン１０５が、上記サーマルヘッド２３に押圧されて当接させられる。この結果、カバーフィルム１０３の裏面に、所望の印字内容の印字データに対応した印字（詳細は後述）が印刷される。
【００３２】
そして、上記基材テープ１０１と上記印刷が終了したカバーフィルム１０３とが上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻取りローラ駆動軸１０７の駆動によりリボン巻取りローラ１０６に巻取られる。
【００３３】
カートリッジ８外へ排出された印字済みラベル用テープ１０９の搬送経路の下流側には、固定刃４０と可動刃４１を備えた切断機構４２が設けられている。上記カッターレバー７が操作されることにより可動刃４１が動作し、上記印字済みラベル用テープ１０９が切断され、印字ラベルＬ（図５等参照）が生成される。
【００３４】
＜制御系＞
次に、図４を用いて、印字ラベル作成装置１の制御系について説明する。
【００３５】
図４において、印字ラベル作成装置１は、所定の演算を行う演算部を構成するＣＰＵ２１２を有している。
【００３６】
ＣＰＵ２１２には、上記液晶ディスプレイ５と、ＲＯＭ２１４と、ＲＡＭ２１３とが接続されている。またＣＰＵ２１２は、ＡＣアダプタ２２０に接続され印字ラベル作成装置１の電源のオン・オフ処理を行う電源回路２１５と、上記プラテンローラ２６を駆動する駆動モータ２１１の駆動制御を行うモータ駆動回路２１６と、上記サーマルヘッド２３の発熱素子の通電制御を行うサーマルヘッド制御回路２１７とに接続されている。
【００３７】
ＲＯＭ２１４には、後述する装飾スタイル記憶部２１４ａ、枠記憶部２１４ｂ、及びシンボル記憶部２１４ｃが備えられている。これらの記憶部の記憶内容の詳細については後述する。ＲＯＭ２１４にはまた、各種制御プログラムが記憶されている。また、ＲＡＭ２１３には、上記装飾スタイル記憶部２１４ａ、枠記憶部２１４ｂ、シンボル記憶部２１４ｃそれぞれから設定したテキスト文字Ｔの装飾スタイル、枠Ｆ、シンボルＳの内容（詳細は後述）が一時的に記憶（保存）される。
【００３８】
そして、ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。
【００３９】
＜本実施形態の特徴＞
以上の基本構成において、本実施形態の特徴は、操作者が、機能キー群４を介したテキスト文字の入力操作と、ドレッサーキー４Ａ等を介した作成開始指示操作（詳細は後述）と、を行うだけで、初心者ユーザにとって複雑かつ面倒な操作を行うことなく、適宜の修飾を施した印字ラベルＬを容易かつ手軽に作成できることにある。
【００４０】
すなわち、図５に示すように、本実施形態の印字ラベル作成装置１においては、操作者が意図する所望のテキスト文字Ｔを表記する印字ラベルＬの作成時において、当該テキスト文字Ｔの装飾スタイル、当該テキスト文字Ｔを包囲する枠Ｆ、当該テキスト文字Ｔとともに付加形成するシンボルＳ、をテキスト文字Ｔに対する修飾として種々設定することができる。すなわち、前述したＲＯＭ２１４の上記装飾スタイル記憶部２１４ａ（第１記憶手段）には、予め用意されたテキスト文字Ｔに係る複数種類の上記装飾スタイルが記憶されており、上記枠記憶部２１４ｂ（第２記憶手段）には予め用意された複数種類の枠Ｆが記憶されており、上記シンボル記憶部２１４ｃ（第３記憶手段）には予め用意された複数種類のシンボルＳが記憶されている。
【００４１】
例えば操作者が、図５に示すように、上記キーボード３を用いて操作者が例えば「Ｕ−ＴＥＣ」というテキスト文字Ｔを入力した後、上記ドレッサーキー４Ａを用いて印字ラベルＬの作成開始指示を行うと、まず、装飾スタイル記憶部２１４ａに記憶されている複数種類の装飾スタイルから、１種類以上（この例では１種類）の装飾スタイルがアトランダムに設定される。図５の例では、「通常スタイル」「斜字（イタリックスタイル）」「白抜きスタイル」等の種類が用意されている中から、「斜字（イタリックスタイル）」が設定されている。また、枠記憶部２１４ｂに記憶されている複数種類の枠Ｆから、１種類の枠Ｆがアトランダムに設定される。図５の例では、「草花」「ハート」等の種類が用意されている中から、「草花」の枠Ｆが設定されている。さらに、シンボル記憶部２１４ｃに記憶されている複数種類のシンボルＳから、１種類のシンボルＳがアトランダムに設定される。図５の例では、犬及び猫の顔からなる「動物」、「クラッカー及びケーキからなる「お祝い」、等の種類が用意されている中から、「動物」シンボルＳが設定されている。
【００４２】
そして、上記設定された装飾スタイルのテキスト文字Ｔと、設定された種類の枠Ｆと、設定された種類（つまり２つ）のシンボルＳと、を用いて印字データ（詳細は後述）が生成される（後述の図６のステップＳ６０参照）。そして、その印字データに基づき、テープ送りローラ駆動軸１０８及びサーマルヘッド２３が連携して制御されることで、対応する印字ラベルＬが作成される。図５の例では、中央の「Ｕ−ＴＥＣ」のテキストの外周側を上記草花の枠Ｆが取り囲み、草花の枠Ｆの左右両側の端部に猫及び犬の顔のシンボルＳ，Ｓが配置された印字ラベルＬが作成される。
【００４３】
＜制御手順＞
以上説明した本実施形態の手法を実現するために、ＣＰＵ２１２によって実行される処理手順を図６に示す。
【００４４】
図６において、例えば操作者が上記機能キー群４の電源スイッチ４Ｂを操作することにより、このフローが開始される。
【００４５】
まず、ステップＳ１０では、ＣＰＵ２１２は、操作者がキーボード３を適宜に操作して行った、印字ラベルＬに印字したいテキスト文字Ｔ（文字や記号等）のの入力を受け付ける。
【００４６】
ステップＳ２０では、ＣＰＵ２１２は、第２操作手段としてのドレッサーキー４Ａが押されることで印字ラベルＬの作成開始指示がなされたかどうかを判定する。ドレッサーキー４Ａが押されていない場合は、ステップＳ２０の判定が満たされず（Ｓ２０：ＮＯ）、ステップＳ２０の判定が満たされるまでループ待機する。ドレッサーキー４Ａが押された場合は、ステップＳ２０の判定が満たされ（Ｓ２０：ＹＥＳ）、ステップＳ３０に移行する。
【００４７】
なお、上記ステップＳ１０及びステップＳ２０とは異なり、操作者によりまずドレッサーキー４Ａが押された後、さらにキーボード３等の適宜の操作を介した上記テキスト文字Ｔの入力を受け付け、その後、印刷キー４Ｃが操作されたことを印字ラベルＬの作成開始指示として、ステップＳ３０以降に移行するようにしても良い。この場合には、上記印刷キー４Ｃが、各請求項記載の第２操作手段として機能する。
【００４８】
ステップＳ３０では、ＣＰＵ２１２は、上記ステップＳ１０で入力されたテキスト文字Ｔに対し適用すべき装飾スタイルとして、ＲＯＭ２１４の上記装飾スタイル記憶部２１４ａに記憶されている複数種類の装飾スタイルから、どれか１種類をアトランダムに設定する。このステップＳ３０が各請求項記載の第１装飾設定手段として機能する。
【００４９】
その後、ステップＳ４０で、ＣＰＵ２１２は、上記ステップＳ１０で入力されたテキスト文字Ｔを取り囲む枠Ｆとして、ＲＯＭ２１４の上記枠記憶部２１４ｂに記憶されている複数種類の枠Ｆから、どれか１種類をアトランダムに設定する。このステップＳ４０が各請求項記載の第２装飾設定手段として機能する。
【００５０】
そして、ステップＳ５０で、ＣＰＵ２１２は、上記ステップＳ４０で設定された枠Ｆの左右両側に配置するシンボルとして、ＲＯＭ２１４の上記シンボル記憶部２１４ｃに記憶されている複数種類のシンボルＳから、どれか１種類をアトランダムに設定する。このステップＳ５０が各請求項記載の第３装飾設定手段として機能する。
【００５１】
ステップＳ６０では、ＣＰＵ２１２は、上記ステップＳ３０で設定した装飾スタイルを反映したテキスト文字Ｔと、上記ステップＳ４０で設定した枠Ｆと、上記ステップＳ５０で設定したシンボルＳとを用いて、印字データ（第１印字データ）を作成する。このステップＳ６０が各請求項記載の第１印字データ生成手段として機能する。なお、必ずしも上記の３つのすべてを用いて印字データを生成するのには限られず、上記ステップＳ３０で設定した装飾スタイルを反映したテキスト文字Ｔと、上記ステップＳ４０で設定した枠Ｆと、上記ステップＳ５０で設定したシンボルＳと、のうち少なくとも１つを用いて印字データを生成してもよい。
【００５２】
その後、ステップＳ７０では、ＣＰＵ２１２は、モータ駆動回路２１６に制御信号を出力し、駆動モータ２１１によりテープ送りローラ駆動軸１０８及びリボン巻取りローラ駆動軸１０７を駆動開始する。これにより、カバーフィルム１０３、基材テープ１０１、及び印字済みラベル用テープ１０９（以下適宜、単にカバーフィルム１０３等」という）の搬送が開始される。
【００５３】
そして、ステップＳ８０で、上記のようにして搬送されるカバーフィルム１０３等が所定の印字領域の開始位置まで搬送されたかどうか（印字領域の前端に印字ヘッド２３が正対する搬送方向位置になるまでカバーフィルム１０３等が搬送されたかどうか）、を判定する。この判定は、例えばステッピングモータからなる上記駆動モータ２１１のパルス数をカウントする等、公知の適宜の手法により行えば足りる。カバーフィルム１０３等が印字領域の開始位置まで搬送されていなければステップＳ８０の判定が満たされず（Ｓ８０：ＮＯ）、ステップＳ８０の判定が満たされるまでループ待機する。カバーフィルム１０３等が印字領域の開始位置まで搬送されたらステップＳ８０の判定が満たされ（Ｓ８０：ＹＥＳ）、ステップＳ９０に移る。
【００５４】
ステップＳ９０では、ＣＰＵ２１２は、ステップＳ６０で生成された印字データに基づきサーマルヘッド２３の発熱素子に通電を行う印字処理を行う。これにより、カバーフィルム１０３に、上記通電された発熱素子によりインクリボン１０５のインクが転写され、上記印字データに対応した印字が形成される。このステップＳ９０が各請求項記載の第１連携制御手段として機能する。
【００５５】
その後、ステップＳ１００では、ＣＰＵ２１２は、搬送されるカバーフィルム１０３等が印字領域の終了位置まで搬送されたかどうか（印字領域の後端に印字ヘッド２３が正対する搬送方向位置になるまでカバーフィルム１０３等が搬送されたかどうか）、を判定する。この判定も上記同様の公知の手法により行えば足りる。カバーフィルム１０３等が印字領域の終了位置まで搬送されていなければステップＳ１００の判定が満たされず（Ｓ１００：ＮＯ）、ステップＳ９０に戻って同様の手順を繰り返す。カバーフィルム１０３等が印字領域の終了位置まで搬送されていればステップＳ１００の判定が満たされ（Ｓ１００：ＹＥＳ）、ステップＳ１１０に移る。
【００５６】
ステップＳ１１０では、搬送されるカバーフィルム１０３等が、上記印字データに基づき印字領域よりラベル後端側に設定される所定の切断位置まで搬送されたかどうか（上記切断位置に上記可動刃４１が正対する搬送方向位置になるまで、印字済みラベル用テープ１０９が搬送されたかどうか）、を判定する。この判定も、前述と同様の公知の手法により行えば足りる。カバーフィルム１０３等が切断位置まで搬送されていなければステップＳ１１０の判定が満たされず（Ｓ１１０：ＮＯ）、ステップＳ１１０の判定が満たされるまでループ待機する。カバーフィルム１０３等が切断位置まで搬送されたらステップＳ１１０の判定が満たされ（Ｓ１１０：ＹＥＳ）、ステップＳ１２０に移る。
【００５７】
ステップＳ１２０では、モータ駆動回路２１６に制御信号を出力し、駆動モータ２１１によるテープ送りローラ駆動軸１０８及びリボン巻取りローラ駆動軸１０７の駆動を停止する。これにより、カバーフィルム１０３、基材テープ１０１、及び印字済みラベル用テープ１０９の搬送が停止する。
【００５８】
その後、ステップＳ１３０で、液晶ディスプレイ５に表示信号を出力する。これにより、操作者に対し、カッターレバー７を操作し切断機構１５を動作させ印字済みラベル用テープ１０９を切断するよう促す、適宜の表示が行われる。操作者がカッターレバー７を操作することで、印字済ラベル用テープ１０９の切断が行われ、上記ステップＳ３０で設定した装飾スタイルを反映したテキスト文字Ｔの周囲を、上記ステップＳ４０で設定した枠Ｆが取り囲み、さらにラベル両端側に上記ステップＳ５０で設定したシンボルＳ，Ｓがそれぞれ配置された、図５に一例を示したような印字ラベルＬが生成される。その後、このフローは終了する。
【００５９】
以上説明したように、本実施形態では、操作者が、キーボード３によるテキスト文字Ｔの入力操作と、ドレッサーキー４Ａ（又は印刷キー４Ｃ）による作成開始指示操作と、を行うだけで、テキスト文字Ｔの装飾スタイルや枠ＦやシンボルＳの修飾を施した、印字ラベルＬを容易かつ手軽に作成することができる。したがって、例えば現状は上記２つの操作（テキスト入力操作と作成開始操作）しか行っていないような初心者ユーザであっても、上記のような印字ラベルＬに対する修飾を楽しむことができる。この結果、当該初心者ユーザに対し、印字ラベル作成装置１が前述のような修飾付加機能（装飾スタイルや枠ＳやシンボルＦの付加）を備えていることを認識させるとともに、当該修飾付加に対する初心者ユーザの興味を引き起こすことができる。
【００６０】
また、上述のようにして組み合わせられる装飾スタイル、枠Ｆ、シンボルＳは、複数種類の中からそれぞれアトランダムに選択される（ステップＳ３０、ステップＳ４０、ステップＳ５０参照）ので、操作者が上記の操作をするたびに、異なった印字面態様の印字ラベルＬが作成される。これによっても、上記修飾付加に対する初心者ユーザの興味をさらに惹き起こすことができる。
【００６１】
＜第２実施形態＞
次に、本発明の第２の実施形態を図７〜図９を用いて説明する。第１実施形態と同等の部分には同一の符号を付し、適宜説明を省略又は簡略化する。本実施形態では、複数種類のシンボルＳが、複数のカテゴリ別にそれぞれ分けて記憶されている。
【００６２】
すなわち、本実施形態においても、上記第１実施形態と同様、図７に示すように、操作者が意図する所望のテキスト文字Ｔを表記する印字ラベルＬの作成時において、当該テキスト文字Ｔの装飾スタイル、当該テキスト文字Ｔを包囲する枠Ｆ、当該テキスト文字Ｔとともに付加形成するシンボルＳ、をテキスト文字Ｔに対する修飾として種々設定することができる。
【００６３】
但し、本実施形態の印字ラベル作成装置１では、図８に示すように、上記第１実施形態のＲＯＭ２１４に代えて、ＲＯＭ２１４′が設けられている。このＲＯ１４′には、上記第１実施形態と同様の装飾スタイル記憶部２１４ａ、枠記憶部２１４ｂの他に、複数種類のシンボルＳを複数のカテゴリ別にそれぞれ分けて記憶したシンボル記憶部２１４′ｃ（第４記憶手段）が備えられている。このシンボル記憶部２１４′ｃには、印字ラベルＬにおいてテキスト文字Ｔとともに形成するために予め用意された複数種類のシンボルＳを、印字ラベルＬに関して予め定められる複数のカテゴリ別に分けている。それらシンボルＳは、複数（この例では３つ）の各カテゴリ用記憶部ＳＣ１，ＳＣ２，ＳＣ３，・・に記憶されている。
【００６４】
図７に戻り、例えば、操作者は、まずドレッサーキー４Ａを２度押す（これによりカテゴリ選択状態に移行する）操作を行った後、キーボード３における適宜の操作によってカテゴリ「Ｌａｄｙ」を選択する。その後、前述と同様、キーボード３を用いて「Ｕ−ＴＥＣ」というテキスト文字Ｔを入力する。すると、まず、上記第１実施形態と同様、装飾スタイル記憶部２１４ａに記憶されている複数種類の装飾スタイルから１種類以上（この例では１種類）の装飾スタイルがアトランダムに設定される。図７の例では、上記第１実施形態と同様、「通常スタイル」「斜字（イタリックスタイル）」「白抜きスタイル」等の種類が用意されている中から、「斜字（イタリックスタイル）」が設定されている。また、枠記憶部２１４ｂに記憶されている複数種類の枠Ｆから、１種類の枠Ｆがアトランダムに設定される。図７の例では、上記第１実施形態と同様、「草花」「ハート」等の種類が用意されている中から、「草花」の枠Ｆが設定されている。
【００６５】
そして、シンボル記憶部２１４ｃのうち上記選択されたカテゴリ「Ｌａｄｙ」に対応する、「Ｌａｄｙ」カテゴリ用記憶部に記憶されている複数種類のシンボルＳから、１種類のシンボルＳがアトランダムに設定される。図７の例では少女の顔及び木の実からなる「Ｌａｄｙ（１）」、帽子と花からなる「Ｌａｄｙ（２）」等の種類が用意されている中から、「Ｌａｄｙ（２）」シンボルＳが設定されている。
【００６６】
そして、それら設定された装飾スタイルのテキスト文字Ｔと、設定された種類の枠Ｆと、設定された種類（つまり２つ）のシンボルＳと、を用いて印字データ（第２印字データ）が生成され（後述の図９のステップＳ６０参照）、これによって対応する印字ラベルＬが作成される。図９の例では、中央の「Ｕ−ＴＥＣ」のテキストの外周側を上記草花の枠Ｆが取り囲み、草花の枠Ｆの左右両側の端部に帽子及び花のシンボルＳ，Ｓが配置された印字ラベルＬが作成される。
【００６７】
＜制御手順＞
以上説明した本実施形態の手法を実現するために、ＣＰＵ２１２によって実行される処理手順を図９に示す。
【００６８】
図９に示すフローでは、上記図６のフローのステップＳ１０の前にステップＳ１及びステップＳ２が新たに設けられ、ステップＳ２０に代えてステップＳ１１が設けられ、ステップＳ５０に代えてステップＳ５１が設けられる。
【００６９】
すなわち、まず、ステップＳ１では、ＣＰＵ２１２は、ドレッサーキー４Ａが２度押されたかどうかを判定する。前述したように、本実施形態では、このドレッサーキーの２度押し操作により、後述のステップＳ２におけるカテゴリ選択を受け付けるモードとなる。２度押しがなされていなければステップＳ１の判定が満たされず（Ｓ１：ＮＯ）、ステップＳ１の判定が満たされるまでループ待機する。ドレッサーキー４Ａが２度押されたらステップＳ１の判定が満たされ（Ｓ１：ＹＥＳ）、ステップＳ２に移る。
【００７０】
ステップＳ２では、ＣＰＵ２１２は、操作者による、キーボード３での適宜の操作を介した、上記カテゴリの選択（上記の例ではカテゴリ「Ｌａｄｙ」の選択）を受け付ける。その後、ＣＰＵ２１２は、上記第１実施形態と同様のステップＳ１０でテキスト文字Ｔの入力を受け付ける。なお、上記ステップＳ１、ステップＳ２、ステップＳ１０の流れとは異なり、まず先にキーボード３を用いてのテキスト文字Ｔの入力を受け付けた後に、操作者のドレッサーキー４Ａの長押しによりカテゴリ選択を受け付けるモードに移行し、上記カテゴリの選択を受付けるようにしても良い。さらに、上記のように操作者が１つのカテゴリを選択するのに代えて、キーボード３で入力されたテキスト文字Ｔから予め設定された特定の相関によって特定の１つのカテゴリを自動的に対応付けるようにしてもよい。
【００７１】
上記第１実施形態と同様のステップＳ１０を経て、新たに設けたステップＳ１１に移る。ステップＳ１１では、ＣＰＵ２１２は、印刷キー４Ｃが押されたかどうかを判定する。印刷キー４Ｃが押されていなければステップＳ１１の判定が満たされず（Ｓ１１：ＮＯ）、ステップＳ１１の判定が満たされるまでループ待機する。印刷キー４Ｃが押されたらステップＳ１１の判定が満たされ（Ｓ１１：ＹＥＳ）、ステップＳ３０に移る。なお、この印刷キー４Ｃが本実施形態における各請求項記載の第２操作手段として機能する。
【００７２】
ステップＳ３０の装飾スタイルのアトランダム設定及びステップＳ４０の枠のアトランダム設定は上記第１実施形態と同様である。その後、新たに設けたステップＳ５１に移る。
【００７３】
ステップＳ５１では、ＣＰＵ２１２は、上記ステップＳ４０で設定された枠Ｆの左右両側に配置するシンボルとして、ステップＳ２で受け付けた、操作者により選択されたカテゴリに対応するカテゴリ用記憶部（図７の例ではカテゴリ「Ｌａｄｙ」に対応した「Ｌａｄｙ」カテゴリ用記憶部）に記憶されている複数種類のシンボルＳから、どれか１種類のシンボルＳをアトランダムに設定する。このステップＳ５１が各請求項記載の第４装飾設定手段として機能する。その後、上記同様のステップＳ６０に移る。
【００７４】
ステップＳ６０では、上記第１実施形態と同様、ＣＰＵ２１２は、上記ステップＳ３０で設定した装飾スタイルを反映したテキスト文字Ｔと、上記ステップＳ４０で設定した枠Ｆと、上記ステップＳ５１で設定したシンボルＳとを用いて、印字データ（第２印字データ）を作成する。本実施形態でのこのステップＳ６０は各請求項記載の第２印字データ生成手段として機能する。なお、前述と同様、必ずしも上記の３つのすべてを用いて印字データを生成するのには限られず、上記ステップＳ３０で設定した装飾スタイルを反映したテキスト文字Ｔと、上記ステップＳ４０で設定した枠Ｆと、上記ステップＳ５１で設定したシンボルＳと、のうち少なくとも１つを用いて印字データを生成してもよい。
【００７５】
その後のステップＳ７０〜ステップＳ１３０は、図６のフローと同等であり、詳細な説明を省略する。なお、本実施形態におけるステップＳ９０は、各請求項記載の第２連携制御手段として機能する。
【００７６】
本実施形態においても、操作者が、キーボード３によるテキスト文字Ｔの入力操作と、印刷キー４Ｃによる作成開始指示操作と、を行うだけで（あるいはさらに適宜カテゴリ選択操作を追加するだけで）、上記第１実施形態と同様、テキスト文字Ｔの装飾スタイルや枠ＦやシンボルＳの修飾を施した、印字ラベルＬを容易かつ手軽に作成することができる。したがって、上記第１実施形態と同様、初心者ユーザであっても印字ラベルＬに対する修飾を楽しむことができ、修飾付加に対する初心者ユーザの興味を引き起こすことができる。
【００７７】
＜第３実施形態＞
次に、本発明の第３の実施形態を図１０〜図１２を用いて説明する。第１及び第２実施形態と同等の部分には同一の符号を付し、適宜説明を省略又は簡略化する。本実施形態では、装飾スタイル、枠、シンボル、の組合せが、複数組設定されて使用される。
【００７８】
すなわち、本実施形態においては、図１０に示すように、上記装飾スタイル、枠Ｆ、シンボルＳ、の組み合わせが事前に複数組用意されており、操作者が意図する所望のテキスト文字Ｔを表記する印字ラベルＬの作成時において、それら複数組のうちいずれか１組が、テキスト文字Ｔに対する修飾として自動的に設定される。それぞれの組合せは、予め設定された複数のカテゴリそれぞれに対応付けられている。
【００７９】
すなわち、本実施形態の印字ラベル作成装置１では、図１１に示すように、上記第１実施形態のＲＯＭ２１４に代えて、ＲＯＭ２１４″が設けられている。このＲＯＭ２１４″には、組合せ記憶部２１４″ａ（第５記憶手段）が設けられている。この組合せ記憶部２１４″ａには、上述したように、予め用意された、特定の種類の装飾スタイルと、特定の１種類の枠Ｆと、特定の２種類のシンボルＳ，Ｓと、からなる組み合わせを、印字ラベルＬに関して予め定められる上記複数のカテゴリ別に分けて記憶されている。各組合せは、複数（この例では３つ）の各カテゴリ用組合せ記憶部ＴＣ１，ＴＣ２，ＴＣ３，・・に記憶されている。
【００８０】
図１０に戻り、例えば、操作者は、まず、キーボード３における適宜の操作によってカテゴリ「Ｏｆｆｉｃｅ」を選択する。その後、前述と同様、キーボード３を用いて「ＵＥＮＯ−ＴＥＣ」というテキスト文字Ｔを入力する。すると、上記組合せ記憶部２１４″ａの各カテゴリ用組合せ記憶部ＴＣ１，ＴＣ２，ＴＣ３，・・のうち、上記選択されたカテゴリ「Ｏｆｆｉｃｅ」に対応する「Ｏｆｆｉｃｅ」カテゴリ用組合せ記憶部に記憶されている、特定の上記装飾スタイル、枠Ｆ、シンボルＳの組合せが選択され、それぞれが自動的に設定される。
【００８１】
図１０の例では、例えば、「Ｆｏｏｄ」カテゴリに対応したカテゴリ用組合せ記憶部ＴＣ１に、通常の装飾スタイルと、マーブルの枠Ｆと、食器と木の実からなるシンボルＳと、の組合せが記憶されている。また、「Ｏｆｆｉｃｅ」カテゴリに対応したカテゴリ用組合せ記憶部ＴＣ２には、太字（ボールド）の装飾スタイルと、角なしの枠Ｆと、携帯電話とパソコンからなるシンボルＳと、の組合せが記憶されている。また、「Ｓｐｏｒｔｓ」カテゴリに対応したカテゴリ用組合せ記憶部ＴＣ３には、半角太字の装飾スタイルと、ドットの枠Ｆと、サッカー具と野球具からなるシンボルＳ、の組合せが記憶されている。上記の例では、選択されたカテゴリ「Ｏｆｆｉｃｅ」に対応する、上記太字の装飾スタイル、角なしの枠Ｆ、携帯電話とパソコンからなるシンボルＳ、の組合せが選択され、当該組合せに含まれる上記装飾スタイル、枠Ｆ、シンボルＳが設定される。
【００８２】
そして、それら設定された装飾スタイルのテキスト文字Ｔと、設定された種類の枠Ｆと、設定された種類（つまり２つ）のシンボルＳと、を用いて印字データ（第３印字データ）が生成され（後述の図１２のステップＳ６０参照）、これによって対応する印字ラベルＬが作成される。図１０の例では、中央の「Ｕ−ＴＥＣ」のテキスト及びテキストの左右両側の端部に携帯電話及びパソコンのシンボルＳ，Ｓが配置されて、上記角無しの枠Ｆによって取り囲まれている印字ラベルＬが作成される。
【００８３】
＜制御手順＞
以上説明した本実施形態の手法を実現するために、ＣＰＵ２１２によって実行される処理手順を図１２に示す。
【００８４】
図１２に示すフローでは、上記図９のフローのステップＳ１が省略される。また、ステップＳ１０とステップＳ６０との間のステップＳ１１、ステップＳ３０、ステップＳ４０、ステップＳ５１に代えて、上記図６のフローと同様のステップＳ２０と、新たなステップＳ５２とが、設けられる。
【００８５】
まず、ステップＳ２で、上記図９と同様に、ＣＰＵ２１２は、操作者による、キーボード３での適宜の操作を介した、上記カテゴリの選択（上記の例ではカテゴリ「Ｏｆｆｉｃｅ」の選択）を受け付ける。本実施形態では、このステップＳ２が各請求項記載の第３操作手段として機能する。その後、上記図６及び図９と同様のステップＳ１０を経て、ステップＳ２０に移る。
【００８６】
ステップＳ２０では、上記図６と同様、ＣＰＵ２１２は、第２操作手段としてのドレッサーキー４Ａが押されることで印字ラベルＬの作成開始指示がなされたかどうかを判定する。ドレッサーキー４Ａが押された場合は、ステップＳ２０の判定が満たされ（Ｓ２０：ＹＥＳ）、新たに設けたステップＳ５２に移る。
【００８７】
なお、上記の順序を変えて、ステップＳ２０のドレッサーキー４Ａを押すことによるカテゴリの選択後に、ステップＳ１０のキーボード３を用いてのテキスト文字Ｔの入力を受付けるようにしても良い。この場合、テキスト文字Ｔの入力後には印刷キー４Ｃが押される。また、上記のように操作者が１つのカテゴリを選択するのに代えて、キーボード３で入力されたテキスト文字Ｔから予め設定された特定の相関によって特定の１つのカテゴリを自動的に対応付ける（例えば、テキスト文字Ｔに「野球」が含まれれば、上記「Ｓｐｏｒｔｓ」のカテゴリが自動的に選択される等）ようにしてもよい。
【００８８】
ステップＳ５２では、ＣＰＵ２１２は、ＲＯＭ２１４″の組合せ記憶部２１４″ａの中の、上記ステップＳ２で受け付けた、操作者により選択されたカテゴリに対応するカテゴリ用組合せ記憶部（図１０の例ではカテゴリ「Ｏｆｆｉｃｅ」に対応したカテゴリ用記憶部）に記憶されている組合せを選択し、設定する。このステップＳ５２が各請求項記載の第５装飾設定手段として機能する。その後、上記同様のステップＳ６０に移る。
【００８９】
ステップＳ６０では、上記第１及び第２実施形態と同様、ＣＰＵ２１２は、上記ステップＳ５１での組合せにより設定した、装飾スタイルを反映したテキスト文字Ｔ、枠Ｆ、シンボルＳを用いて、印字データ（第３印字データ）を作成する。本実施形態でのこのステップＳ６０は各請求項記載の第３印字データ生成手段として機能する。
【００９０】
その後のステップＳ７０〜ステップＳ１３０は、図６及び図９のフローと同等であり、詳細な説明を省略する。なお、本実施形態におけるステップＳ９０は、各請求項記載の第３連携制御手段として機能する。
【００９１】
本実施形態においても、操作者が、カテゴリ選択操作と、キーボード３によるテキスト文字Ｔの入力操作と、ドレッサーキー４Ａによる作成開始指示操作とを行うだけで、上記第１及び第２実施形態と同様、テキスト文字Ｔの装飾スタイルや枠ＦやシンボルＳの修飾を施した、印字ラベルＬを容易かつ手軽に作成することができる。したがって、上記第１及び第２実施形態と同様、初心者ユーザであっても印字ラベルＬに対する修飾を楽しむことができ、修飾付加に対する初心者ユーザの興味を引き起こすことができる。
【００９２】
＜第４実施形態＞
次に、本発明の第４の実施形態を図１３及び図１４を用いて説明する。上記各実施形態と同等の部分には同一の符号を付し、適宜説明を省略又は簡略化する。本実施形態では、上記第１〜第３実施形態において印字ラベルＬに適用された、装飾スタイル、枠Ｆ、シンボルＳをその後再現するための実施形態である。すなわち、それら装飾スタイル、枠Ｆ、シンボルＳを、操作者が、上記機能キー群４を介したマニュアル操作で設定するための操作方法を印字形成した、別の印字ラベル（以下適宜、「ガイダンスラベル」と称する）ＧＬが作成される。
【００９３】
以下では、上記第１実施形態で作成された印字ラベルＬを再現するためのガイダンスラベルＧＬが作成される場合を例にとって説明する。この場合、図１３に示すように、上述のようにして上記第１実施形態による印字ラベルＬが作成された後、当該印字ラベルＬに適用された装飾スタイル（この例では斜字）、枠Ｆ（この例では「草花枠」）、及びシンボルＳ（この例では「動物」）を、マニュアル操作で設定するための操作方法がガイダンス印字Ｒとして形成されたガイダンスラベルＧＬが作成される。なお、ガイダンスラベルＧＬの作成に移行する前には、図示のように「ガイダンスラベル作成表示はしますか？」という確認メッセージが表示されて、操作者の意思確認が行われる。
【００９４】
ガイダンスラベルＧＬには、この例では、図１３に示すように、まず、上記草花の枠Ｆをマニュアル操作で設定するための操作方法”（１）「枠」キーを操作して「Ｎｏ．４」を選択してください。”が印字形成される。また、上記装飾スタイルとしての斜字をマニュアル操作で設定するための操作方法”（２）「装飾スタイル」キーを操作して「斜字」を選択してください。”が印字形成される。さらに、上記猫の顔のシンボルＳをマニュアル操作で設定するための操作方法”（３）「シンボル」キーを操作して「動物」を選択後、さらに「Ａ１」と入力してください。”が印字形成される。そして、上記犬の顔のシンボルＳをマニュアル操作で設定するための操作方法”（４）「シンボル」キーを操作して「動物」を選択後、さらに「Ａ２」と入力してください。”が印字形成される。
【００９５】
＜制御手順＞
本実施形態の手法を実現するために、ＣＰＵ２１２によって実行される処理手順を図１４に示す。
【００９６】
本実施形態では、上記図６のフローにおけるステップＳ５０とステップＳ６０の間にステップＳ５３が新たに設けられる。また、ステップＳ１３０の後に、ステップＳ１３１、ステップＳ１３２、ステップＳ１３３が新たに設けられる。
【００９７】
図１４において、上記図６と同様のステップＳ１０〜ステップＳ５０が行われた後、新たに設けたステップＳ５３に移る。ステップＳ５３では、ＣＰＵ２１２は、ステップＳ３０、ステップＳ４０、ステップＳ５０にてそれぞれ設定した装飾スタイル、枠Ｆ、シンボルＳの内容をＲＡＭ２１３（図４参照）に記憶する。
【００９８】
その後、上記図６と同様のステップＳ６０〜ステップＳ１３０が実行され、ステップＳ３０、ステップＳ４０、ステップＳ５０にてそれぞれ設定した装飾スタイル、枠Ｆ、シンボルＳを反映した上記印字ラベルＬが作成された後、新たに設けたステップＳ１３１に移る。
【００９９】
ステップＳ１３１では、ＣＰＵ２１２は、液晶ディスプレイ５に表示信号を出力し、「ガイダンスラベル作成表示はしますか？」という確認メッセージ（図１３参照）を液晶ディスプレイ５に表示させる。
【０１００】
その後、ステップＳ１３２で、ＣＰＵ２１２は、キーボード３における適宜の操作により、操作者によってガイダンスラベルＧＬの作成指示があったかどうかの判定を行う。ガイダンスラベルＧＬの作成指示がなければステップＳ１３２の判定が満たされず（Ｓ１３２：ＮＯ）、このフローは終了する。ガイダンスラベルＧＬの作成指示があればステップＳ１３２の判定が満たされ（Ｓ１３２：ＹＥＳ）、ステップＳ１３３に移る。
【０１０１】
ステップＳ１３３では、ＣＰＵ２１２は、ステップＳ５３で記憶された印字ラベルＬでの装飾設定内容（ステップＳ３０で設定した装飾スタイル、ステップＳ４０で設定した枠Ｆ、ステップＳ５０で設定したシンボルＳ）をマニュアル操作で設定する上記ガイダンス印字Ｒを形成するためのガイダンス印字データを生成する。
【０１０２】
なお、その後のステップＳ１７０、ステップＳ１８０、ステップＳ１９０、ステップＳ２００、ステップＳ２１０、ステップＳ２２０、ステップＳ２３０は、上記ステップＳ７０、ステップＳ８０、ステップＳ９０、ステップＳ１００、ステップＳ１１０、ステップＳ１２０、ステップＳ１３０とそれぞれ同等の内容である。ステップＳ１９０では、上記ガイダンス印字データに対応した印字が形成される。このステップＳ１９０が各請求項記載の第４連携制御手段として機能する。
【０１０３】
なお、以上は第１実施形態で作成された印字ラベルＬを再現するためのガイダンスラベルＧＬが作成される場合を例にとって説明したが、第２又は第３実施形態での印字ラベルＬを再現して作成する場合も同様である。
【０１０４】
本実施形態によれば、前述のような第１〜第３実施形態の手法で印字ラベルＬが作成された後、その印字ラベルＬを作成するために使用された装飾スタイル、枠Ｆ、シンボルＳがそれぞれどれであるか、及び、それらをマニュアル操作で設定するにはどのようにすればよいか、を上記ガイダンスラベルＧＬの作成によって操作者が確実に認識することができる。この結果、操作者が、キーボード３等においてマニュアル操作を行うことで、同様の印字面態様である印字ラベルＬを容易に再現して作成することができ、さらに利便性を向上することができる。
【０１０５】
なお、以上において、図４等の各図中に示す矢印は信号の流れの一例を示すものであり、信号の流れ方向を限定するものではない。
【０１０６】
また、図６、図９、図１２、図１４等に示すフローチャートは本発明を上記フローに示す手順に限定するものではなく、発明の趣旨及び技術的思想を逸脱しない範囲内で手順の追加・削除又は順番の変更等をしてもよい。
【０１０７】
また、以上既に述べた以外にも、上記実施形態や各変形例による手法を適宜組み合わせて利用しても良い。
【０１０８】
その他、一々例示はしないが、本発明は、その趣旨を逸脱しない範囲内において、種々の変更が加えられて実施されるものである。
【符号の説明】
【０１０９】
１                印字ラベル作成装置
３                キーボード（第１操作手段）
４Ａ              ドレッサーキー
４Ｂ              電源スイッチ
４Ｃ              印刷キー
２３              サーマルヘッド（印字手段）
１０８            テープ送りローラ駆動軸（搬送手段）
２１２            ＣＰＵ
２１４            ＲＯＭ
２１４′          ＲＯＭ
２１４″          ＲＯＭ
２１４ａ          装飾スタイル記憶部（第１記憶手段）
２１４ｂ          枠記憶部（第２記憶手段）
２１４ｃ          シンボル記憶部（第３記憶手段）
２１４′ｃ        シンボル記憶部（第４記憶手段）
２１４″ａ        組合せ記憶部（第５記憶手段）
Ｆ                枠
ＧＬ              ガイダンスラベル
Ｓ                シンボル
Ｔ                テキスト印字
【図１】
0005885122.tif 000002
【図２】
0005885122.tif 000003
【図３】
0005885122.tif 000004
【図４】
0005885122.tif 000005
【図５】
0005885122.tif 000006
【図６】
0005885122.tif 000007
【図７】
0005885122.tif 000008
【図８】
0005885122.tif 000009
【図９】
0005885122.tif 000010
【図１０】
0005885122.tif 000011
【図１１】
0005885122.tif 000012
【図１２】
0005885122.tif 000013
【図１３】
0005885122.tif 000014
【図１４】
0005885122.tif 000015